(57)【要約】【課題】  コピー制御情報が付される複数の画像信号を、適正にコピー制御されたマルチ画面信号として生成する画像処理システムを実現する。【解決手段】  受信して得られるメイン画面表示用の放送番組、及び１又は複数のサブ画面に映し出される放送番組を画面分割により出力する視聴用映像出力端子に接続される機器が録画機能を有するかどうかを録画機能判定部２１により判定して、録画機能を有すると判定された場合に放送番組に含まれる録画禁止情報に基づいて録画禁止情報を含む放送番組を出力することを停止する適合処理部１８を有して画像処理システムを構成した。【選択図】      図１
2006148637.tif 000002
【特許請求の範囲】
【請求項１】
コピー禁止情報を含む複数の放送番組のうちのメインとなる主番組を第１受信部で受信し、サブとなる補助番組を第２受信部で受信し、前記第１受信部を介して受信された前記主番組に前記コピー禁止情報が含まれている場合に、前記コピー禁止情報を抽出して前記主番組と共に録画用映像端子に出力し、前記第２受信部を介して受信された前記補助番組を前記主番組に含まれている前記コピー禁止情報と共に受像機用映像出力端子に出力する画像処理部を備え、前記受像機用端子に録画機能を有する装置が接続された場合に、前記コピー禁止情報が付されて受信される前記補助番組の前記録画装置への記録を防止する画像処理部を有する画像処理システムにおいて、
前記画像処理部は、
前記受像機用端子に接続される前記装置が録画機能を有するかどうかを判定して、その結果を出力する録画機能判定部と、
前記装置が前記録画機能判定部で前記録画機能を有すると判定された場合に、前記放送番組に含まれているコピー禁止情報に基づいて、前記装置に前記コピー禁止情報を含む放送番組を出力することを停止する適合処理部と、
からなることを特徴とする画像処理システム。
【発明の詳細な説明】
【技術分野】
【０００１】
本発明は、コピー制御情報が付されて受信される番組を複数受信し、親画面と子画面を同時に分割表示するための映像信号を出力する画像処理システムに関する。
【背景技術】
【０００２】
最近になり、衛星ディジタル放送や地上波ディジタル放送によりコピー制御情報が付された放送番組が受信されるようになってきた。ディジタル放送受信装置が複数の放送受信を行える場合は、一方の番組を親画面とし、他方の番組を親画面の中に設けた領域内に子画面として表示することにより主番組といわゆる裏番組を子画面表示して同時に視聴することができる。
一方、ディジタル放送されて受信される番組にはＤＴＣＰ（Digital Transmission Content Protection）＿ＣＣＩ（Copy Control Information）が付されており、受信される番組はコピー禁止であるか、１回のみコピーしてよいか、自由にコピーしてよいかの情報が付されて番組と共に送信されている。
【０００３】
特許文献１には、同時に受信される複数の番組のうち、指定する方の受信番組に係るコピー制御情報を得て、ＶＣＲの記録モードを設定しその受信番組を記録するディジタル放送受信装置が開示されている。
特許文献２には、受信される複数の番組についての映像信号フォーマットを識別し、識別された映像フォーマットに応じた適応的なフィルタ処理を行うことにより縮小画面を生成し、親画面中に子画面を表示するようにした複数番組表示処理装置が開示されている。
【０００４】
ここで、複数番組表示処理装置を、複数番組を受信する受信チューナ、映像信号を表示するモニタＴＶ、及び映像信号を記録するディジタルＶＴＲにより構成する場合がある。一般に市販される受信チューナの映像出力としては、モニタＴＶに接続するための視聴用映像出力と、受信した番組を録画する記録機に接続するための録画用映像出力とが備えられている。親子２画面表示機能を有する受信チューナの場合は、視聴用映像出力として親子２画面表示される映像信号を出力し、録画用映像出力としては主番組（親画面）の映像信号を出力する。使用者は裏番組を子画面にて見ることが出来ると共に、録画される番組は親画面の番組のみである。録画用映像出力にはコピー制御情報が付されているため、録画用映像出力を録画するディジタルＶＴＲは許可される範囲内での録画用映像出力を得て記録することができる。
【特許文献１】特開２００４−１０４７５２号公報
【特許文献２】特開２０００−２０９５２１号公報
【発明の開示】
【発明が解決しようとする課題】
【０００５】
ところで、視聴用映像出力にはモニタＴＶが接続されることを前提とした親子２画面信号が出力される。親子２画面信号はディジタルＶＴＲに接続して記録する使用もなされることがあるため、ことも可能であるため視聴用映像出力にはコピー制御情報を付して出力する。親画面として受信される番組と子画面として受信される番組の両者に同一のＤＴＣＰ＿ＣＣＩが付される場合は親子２画面の映像信号も許可される範囲内での録画がなされる。２画面同時記録を希望する使用者にとって好適な記録ができる。
【０００６】
しかしながら、親画面と子画面とで異なるＤＴＣＰ＿ＣＣＩが付されて受信される場合に、親子２画面信号に付すＤＴＣＰ＿ＣＣＩを親画面のＤＴＣＰ＿ＣＣＩと同一にすると、例えば録画の禁止される子画面も同時に録画されてしまう。その場合の子画面のＤＴＣＰ＿ＣＣＩは高品質画像のまま記録するのを禁止している場合には子画面も同時に記録されることは許可されるであろう。しかし、低解像度の記録に対しても禁止される場合には好ましくない子画面記録をしたことになる。現時点のＤＴＣＰ＿ＣＣＩは画面の解像度を考慮した録画制限情報として得られないため子画面の録画に対して的確な制御を行うことは出来ない。
【０００７】
特許文献１と特許文献２とを用いて、親画面に対するＤＴＣＰ＿ＣＣＩの付加及びコピー制御は可能であるものの、子画面表示用番組が親画面と異なるＤＴＣＰ＿ＣＣＩが付されている場合、特に子画面のＤＴＣＰ＿ＣＣＩが録画禁止とされる場合に親子２画面信号に付すＤＴＣＰ＿ＣＣＩをどうすべきかについての記述や示唆がなされていない。
【０００８】
親子２画面生成時に用いるそれぞれの番組に付されるＤＴＣＰ＿ＣＣＩを用いて親子２画面信号を生成する方法として、子画面に付されるＤＴＣＰ＿ＣＣＩの制限条件が親画面の制限条件より狭い場合に（１）子画面の表示を中止する、（２）子画面領域を単一色の画面にする、ないしは（３）ＤＴＣＰ＿ＣＣＩを子画面に合わせて出力するなどが考えられる。（１）や（２）の場合は記録を目的としない場合であっても、親子２画面信号がモニタＴＶに表示されない課題が生じ、（３）の場合では子画面の受信チャンネル変更時に子画面の録画禁止に係る制御信号により親画面ともども録画が停止されてしまう課題が生じる。
コピー制御情報が付されて受信される複数の画像信号を、親画面と１つ以上の子画面とで合成し、且つ適正にコピー制御のなされるマルチ画面信号として出力する受信チューナを実現することはできない。
【０００９】
そこで、本発明は、上記のような問題点を解消するためになされたもので、コピー制御情報が付されて受信される複数の画像信号を、親画面と１つ以上の子画面とで合成し、且つ適正にコピー制御のなされるマルチ画面信号として出力することを可能とする画像処理システムを提供することを目的とする。
【課題を解決するための手段】
【００１０】
本願発明は、コピー禁止情報を含む複数の放送番組のうちのメインとなる主番組を第１受信部で受信し、サブとなる補助番組を第２受信部で受信し、前記第１受信部を介して受信された前記主番組に前記コピー禁止情報が含まれている場合に、前記コピー禁止情報を抽出して前記主番組と共に録画用映像端子に出力し、前記第２受信部を介して受信された前記補助番組を前記主番組に含まれている前記コピー禁止情報と共に受像機用映像出力端子に出力する画像処理部を備え、前記受像機用端子に録画機能を有する装置が接続された場合に、前記コピー禁止情報が付されて受信される前記補助番組の前記録画装置への記録を防止する画像処理部を有する画像処理システムにおいて、前記画像処理部は、前記受像機用端子に接続される前記装置が録画機能を有するかどうかを判定して、その結果を出力する録画機能判定部と、前記装置が前記録画機能判定部で前記録画機能を有すると判定された場合に、前記放送番組に含まれているコピー禁止情報に基づいて、前記装置に前記コピー禁止情報を含む放送番組を出力することを停止する適合処理部と、からなることを特徴とする画像処理システムを提供する。
【発明の効果】
【００１１】
本発明によれば、前記画像処理部は、前記受像機用端子に接続される前記装置が録画機能を有するかどうかを判定して、その結果を出力する録画機能判定部と、前記装置が前記録画機能判定部で前記録画機能を有すると判定された場合に、前記放送番組に含まれているコピー禁止情報に基づいて、前記装置に前記コピー禁止情報を含む放送番組を出力することを停止する適合処理部と、からなるので、コピー制御情報が付されて受信される複数の画像信号を、親画面と１つ以上の子画面とで合成し、且つ適正にコピー制御のなされるマルチ画面信号として出力することを可能とする画像処理システムを実現できる。
【発明を実施するための最良の形態】
【００１２】
以下に、本発明の各実施例に係る画像処理システムについて図１〜図３を用いて説明する。
図１は、本発明の実施に係る画像処理システムの構成例を示すブロック図である。
図２は、マルチ画面の表示例を示す図である。
図３は、本発明の実施に係る画像処理システムの動作をフローチャートで示した図である。
【００１３】
その画像処理システムはコピー制御情報が付されて受信される複数の画像信号を、親画面と１つ以上の子画面とで合成し、且つ適正にコピー制御のなされるマルチ画面信号として出力することを実現するという目的を、画像処理部は、受像機の１又は複数のサブ画面に映し出される放送番組を出力する端子に接続される機器が録画機能を有するかどうかを判定して、その結果を出力する録画機能判定部と、前記機器が前記録画機能判定部で前記録画機能を有すると判定された場合に、前記放送番組に含まれている録画禁止情報に基づいて、前記機器に前記録画禁止情報を含む放送番組を出力することを停止する適合処理部とを用いて構成するようにして実現した。
【００１４】
画像処理システムの構成について述べる。
図１に示す画像処理システム１は、チューナ１１、チューナ１２、デコーダ１３、デコーダ１４、コピー制御情報取得部１５、コピー制御情報取得部１６、比較部１７、適合処理部１８、マルチ画面生成部１９、録画機能判定部２１、機器情報取得部２２、インタフェース２３、インタフェース２４、及び装置制御部２５より構成される。
チューナ１１及びチューナ１２にはアンテナが接続されている。装置制御部２５はリモコン３と赤外光で接続されている。インタフェース２３からは録画用映像信号が出力され、インタフェース２４からは視聴用映像信号が出力される。
【００１５】
画像処理システムの動作について述べる。
まず、装置制御部２５により、インタフェース２４が介されて接続される機器と、例えばＩＥＥＥ（Institute of Electrical and Electronics Engineers 802.11 activities）１３９４の信号形式により交信が行われる。交信により得られる接続される機器の機器情報は機器情報取得部２２により取得される。録画機能判定部２１により、機器情報が予め記憶される図示しない機器情報テーブルと比較され、接続される機器に録画機能があるか無いかが判定される。
【００１６】
リモコン３が操作されて親画面で視聴する番組が指定される。チューナ１１により親画面用の放送が受信され、ＴＳ（Transport Stream）信号が得られる。ＴＳ信号のうち映像に係る信号はデコーダ１３により復号化されて映像信号が得られる。ＴＳ信号のうちＤＴＣＰ（Digital Transmission Content Protection）＿ＣＣＩ（Copy Control Information）に係る信号はコピー制御情報取得部１５により取得される。デコーダ１３により復号された映像信号と、コピー制御情報取得部１５で取得されたコピー情報はインタフェース２３に入力される。そこではＩＥＥＥ１３９４に準拠したフォーマットの信号として生成され、録画用映像信号として出力される。
【００１７】
次に、リモコン３が操作されて親画面で視聴する番組が指定された場合について述べる。
チューナ１２により子画面用の番組が受信され、映像信号はデコーダ１４で復号化される。コピー制御情報取得部１６によりＤＴＣＰ＿ＣＣＩ情報が取得される。比較部１７で親画面用のコピー制御情報と子画面用の制御情報が比較される。比較部１７からは、上記の録画機能判定部２１により視聴用映像信号が接続される機器に録画機能がある場合であり、且つ子画面用の制御情報情報が親画面の制御情報よりも狭い範囲の条件で録画が制限されるかを検出する。適合処理部１８では、比較部１７から制限された条件であるとする検出出力が得られた場合にデコーダ１４から入力される映像信号の適合処理を行う。その適合処理は、例えば画像の解像度を低下させる、動画を秒単位でサンプリングした静止画にする、ないしは単一色の画像にするなどである。それらの適合化処理のうち、いずれの処理にするかは、時代と共に設定される番組権利者の要求条件を満足するレベルにより決定される。
【００１８】
適合処理部１８で適合処理のなされた小画面用の映像信号はマルチ画面生成部１９でマルチ画面として生成され、インタフェース２４でコピー制御情報取得部１５により得られた親画面用のコピー制御情報が付される。視聴用出力映像信号として出力される。
なお、適合処理部１８で適応化処理がなされるのは視聴用映像出力端子に録画機能を有する機器が接続された場合である。例えば、ハードディスクレコーダなどの録画機能を組み可能とされる受像機の場合では、機種名が特定された場合であっても、録画機能を有しているか否かが特定できない。その場合には、インタフェース２４を介して受像機と交信し、録画機能を有していないとするステータス信号が返信された場合にのみ適合処理部１８における適合化処理を中止させるようにしても良い。
【００１９】
図２を参照して親子２画面の表示画像について述べる。
（ａ）は親画面に縦横それぞれ１／４に縮小された子画面を表示する場合である。この場合の子画面に対しても適合化処理を行うか否かは、その時代における要求条件により決定される。
（ｂ）は、画面縦横比が１６：９である高精細画面に、ＳＤＴＶ（standard definition television）の画像と、縦横それぞれ１／３に縮小した３枚のＳＤＴＶ画像を表示する場合である。子画面は通常のＳＤＴＶ表示画面に比し解像度は劣化するものの、鑑賞に堪える画質で表示可能である。この場合は適合化処理が必要な場合である。その適合化処理として、例えば数秒毎に静止画を切り替えながら表示する方法がある。即ち、チューナ１２は使用者により設定される子画面用の３の受信チャンネルを切り替えながら映像信号を得、得られた映像を数秒に１枚程度の割合でサンプリングし、得られる静止画を順に表示する。
【００２０】
図３を参照して画像処理システムの処理の流れを説明する。
まず、Ｓ（ステップ）６１により、マルチ画面表示が設定される。Ｓ６２で、視聴用映像信号の出力端子に接続される機種名や、機器の機能を記述した機器情報を取得する。Ｓ６３で接続されている機器は録画機能を有しているかが検出される。録画機能が検出されない場合にはＳ６４で操作により設定されるマルチ画面を生成し、Ｓ６５で生成されたマルチ画面の映像信号を視聴用映像信号としての出力を継続するものとし、Ｓ６６以降のステップを終了させる。
【００２１】
Ｓ６３で、録画機能を有するとして検出された場合はＳ６６で親画面用に受信される番組の制御情報が取得される。Ｓ６７で子画面用に受信される番組の制御情報が取得される。Ｓ６８で、親画面のコピー制限と子画面のコピー制限とが比較される。子画面の制限の方が大きい場合には子画面画像に適合化処理がなされる。Ｓ７１でマルチ画面が生成される。Ｓ７２で子画面用番組の受信チャンネルが変更されたかが検出される。変更された場合はＳ６７からのステップが繰り返される。変更されない場合はマルチ画面映像信号が出力される。Ｓ７４でマルチ画面表示が解除されたかが検出され、解除されない場合はＳ６６からのステップが繰り返される。解除された場合はＳ６６以降の処理が終了される。
【００２２】
以上のように、本実施例で示した画像処理システム１によれば、画像処理部は、受像機の１又は複数のサブ画面に映し出される放送番組を出力する視聴用映像出力端子に接続される機器が録画機能を有するかどうかを判定して、その結果を出力する録画機能判定部２１と、前記機器が前記録画機能判定部２１で前記録画機能を有すると判定された場合に、前記放送番組に含まれている録画禁止情報に基づいて、前記機器に前記録画禁止情報を含む放送番組を出力することを停止する適合処理部１８とを有する構成があるので、コピー制御情報が付されて受信される複数の画像信号を、親画面と１つ又は複数の子画面とで合成し、且つ適正にコピー制御のなされるマルチ画面信号として出力することを可能とする画像処理システムを実現できる。
【産業上の利用可能性】
【００２３】
コピー制御情報が付されて受信される番組を複数受信して親画面と子画面によるマルチ画面映像を表示するための映像信号を出力するディジタル放送受信チューナに適用できる。
【図面の簡単な説明】
【００２４】
【図１】本発明の実施に係る画像処理システムの構成例を示すブロック図である。
【図２】マルチ画面の表示例を示す図である。
【図３】本発明の実施に係る画像処理システムの動作をフローチャートで示した図である。
【符号の説明】
【００２５】
１    画像処理システム
３    リモコン
１１、１２    チューナ
１３、１４    デコーダ
１５、１６    コピー制御情報取得部
１７    比較部
１８    適合処理部
１９    マルチ画面生成部
２１    録画機能判定部
２２    機器情報取得部
２３、２４    インタフェース
２５    装置制御部
【図１】
2006148637.tif 000003
【図２】
2006148637.tif 000004
【図３】
2006148637.tif 000005